Podtech/llm-jp-corpus-v4-ja_patent huggingface dataset:
(57)【要約】      （修正有）【課題】記入したメッセージの劣化を防ぎ、保存や保護をすることができるメッセージカードを提供する。【解決手段】メッセージカードは、裏面に粘着面４を有した透明保護フィルム１と、少なくとも一面に剥離処理を施され、その一面を透明保護フィルム１の粘着面４に貼着した剥離紙２と、少なくとも一面側に書き込み可能な表示面を有するカード３からなり、透明保護フィルム１とカード３の合流した端部５に粘着面４の始点５がある。【選択図】図２
0003231375.tif 000002
【実用新案登録請求の範囲】
【請求項１】
少なくとも一面側に所望のメッセージを書き込み可能な表示面を有するカードと、裏面に粘着面を有して、前記カードの前記表示面を保護する透明保護フィルムと、少なくとも一面に剥離処理を施され、その一面が前記透明保護フィルムの前記粘着面に貼着されて前記カードと前記透明保護フィルムとの間に設けられる剥離紙からなり、前記透明保護フィルムと前記カードの合流した端部に前記粘着面の始点があることを特徴とするメッセージカード。
【考案の詳細な説明】
【技術分野】
【０００１】  本考案は記入したメッセージを保護することのできるメッセージカードに関する。
【背景技術】
【０００２】  今までのメッセージカードは文字を書いた箇所に水滴が付いてしまうと滲んでしまったり、月日、年月がたてばカードの表面が劣化してしまい、早々に展示や保存を諦めなければならなかった。
【先行技術文献】
【特許文献】
【０００３】
【特許文献１】実開昭５５−１６７２５８号公報
【考案の概要】
【考案が解決しようとする課題】
【０００４】  特許文献１に開示された粘着ラベルは、裏面に粘着部を設けられて台紙へ貼り付けて目印として使用するもので、表示面も小さいためそれをメモ書きして人へ渡すというような使い方をしない。
本考案は、使用の自由度が大きく、記入したメッセージの経年劣化を防ぐことができるメッセージカードを提供することを目的とする。
【課題を解決するための手段】
【０００５】  本考案のメッセージカードは、少なくとも一面側に所望のメッセージを書き込み可能な表示面を有するカードと、裏面に粘着面を有して、前記カードの前記表示面を保護する透明保護フィルムと、少なくとも一面に剥離処理を施され、その一面が前記透明保護フィルムの前記粘着面に貼着されて前記カードと前記透明保護フィルムとの間に設けられる剥離紙からなり、前記透明保護フィルムと前記カードの合流した端部に前記粘着面の始点があることを特徴とする。
【考案の効果】
【０００６】  本考案によれば、カードの本考案のメッセージカードは、少なくとも一つの表示面を透明保護シートで保護することにより、使用の自由度が大きく、水滴が付いたりしても文字が滲むことがなく、メッセージの経年劣化を防ぎ、遅らせることができる効果がある。
【図面の簡単な説明】
【０００７】
【図１】本考案のメッセージカードの一実施例を示す斜視図である。
【図２】本考案のメッセージカードの使い方の一実施例を示す側断面図である。
【図３】本考案のメッセージカードの使い方の一実施例を示す側断面図である。
【図４】本考案のメッセージカードの使い方の一実施例を示す側断面図である。
【図５】本考案のメッセージカードの使い方の一実施例を示す側断面図である。
【考案を実施するための形態】
【０００８】  本考案の望ましい一実施例によれば、裏面に粘着面を有した透明フィルムと、両面に剥離処理を施され、その一面を前記透明保護フィルムの粘着面に貼着した剥離紙と、少なくとも一面側に書き込み可能な表示面を有するカードからなるメッセージカードが提供される。
【実施例】
【０００９】  本考案の一実施例によるメッセージカードは、全体構成を図１に示し、その側断面の構成を図２から図５に示すように、少なくとも一面側に所望のメッセージを書き込み可能な表示面を有するカード３と、裏面に粘着面４を有して、前記カード３の前記表示面を保護する透明保護フィルム１と、両面に剥離処理を施され、その一面が前記透明保護フィルム１の前記粘着面４に貼着されて前記カード３と前記透明保護フィルム１との間に設けられる剥離紙２からなり、前記透明保護フィルム１と前記カード３の合流した端部に前記粘着面４の始点５がある。【００１０】  前記カード３の裏面にも必要に応じて文字を書き込み可能なので、同じように透明保護フィルム１で保護されるように構成される。【００１１】  以下、使い方を説明する。前記カード３に文字や絵などのメッセージを書き込む場合は、剥離紙２を持ち上げて（図２）カード３の少なくとも一面側の表示面に文字などを書き込む（図３）。その後は、剥離紙２をはがして粘着面４を出し（図４）、書き込み可能な表示面を有するカード３に粘着面４を合わせる（図５）。【００１２】  前記透明保護フィルム１と前記カード３の合流した端部に前記粘着面４の始点５があるため、前記剥離紙２をはがしても前記フィルム１を前記カード３に合わせやすい。
前記始点５は前記カード３の端の部分なので小さくでき、メッセージを書くスペースの邪魔にならず、前記始点５があることにより前記剥離紙２をはがして貼る時に貼りやすくなる。【００１３】  前記カード３の大きさは、相手の名前や内容、自分の名前などが書ける大きさが望ましい。
前記カード３の裏面もメッセージを記入する表示面として使用することにより、前記カード３の使い方に自由度が増すので、例えば７月の七夕に合わせて短冊のカード等を作るのに好適である。【００１４】  本考案の一実施例によるメッセージカードは裏面に粘着面がないので短冊として書いた後に穴を開けて紐を通して飾ることができる。
また、母の日などでお花と一緒に添えても透明保護フィルム１で保護されているので、草花の水滴などで滲むことなく思いを添えられる。
また、透明保護フィルム１は、ＵＶ保護フィルムを使用して作るのもよい。
【産業上の利用可能性】
【００１５】  本考案は、季節ごとのイベントに合わせて色々な形、例えば桜、クローバー、星、短冊、もみじ、クリスマス、雪の結晶、ハートなどのカードを作ることにより老若男女の人たちに利用可能である。
【符号の説明】
【００１６】１透明保護フィルム
２剥離紙
３カード
４粘着面
５粘着面の始点
【図１】
0003231375.tif 000003
【図２】
0003231375.tif 000004
【図３】
0003231375.tif 000005
【図４】
0003231375.tif 000006
【図５】
0003231375.tif 000007
(57)【要約】      （修正有）【課題】ライン引きを使用して、グランドにラインを引くライン引き作業時、風の影響を抑えてパウダーの飛散をなくし、強風時にもライン引き作業を可能にした風除けフード付きライン引きを提供する。【解決手段】ライン引きのパウダー吐出孔３に、風除けフード４を設けて、風の影響によるパウダーの飛散を抑えて、強風時にもライン引き作業を可能とする。【選択図】図１
0003231332.tif 000002
【実用新案登録請求の範囲】
【請求項１】
グランドにラインを引く、ライン引き作業に使用するライン引きについて。
ライン引き本体底面パウダー吐出孔周りに風除けフードを設けて、強風時にもライン引き作業を可能にした風除けフード付きライン引き。
【考案の詳細な説明】
【技術分野】
【０００１】  本考案はグランドでライン引き作業に使用するライン引きに関するものである。
【技術背景】
【０００２】  グランドにラインを引くライン引き作業時において、少し強めの風が吹くと、ライン引きから吐出されたパウダーが飛散してラインが乱れてしまい、一時作業を中断せざるを得ないことが度々である。
【先行技術文献】
【０００３】
【非特許文献１】インターネットで検索のライン引きの画像にて閲覧。
【考案が解決しようとする課題】
【０００４】  既存のライン引きはパウダー吐出孔がむき出しになっており、風の影響を受けやすく、パウダーが飛散してラインが乱れて、強風時にはライン引き作業が困難であった。
【課題を解決するための手段】
【０００５】  そこでライン引きのパウダー吐出孔周りに、風除けフードを設けることにより、風によるパウダーの飛散を防ぐ。
【考案の効果】
【０００６】  よって、本考案の風除けフード付きライン引きは、強風時にもライン引き作業を可能にする。
【図面の簡単な説明】
【０００７】
【図１】本考案の実施形態を示す、手前の車輪を外したライン引き底面部分の側図。
【図２】風除けフードの外観図。
【考案を実施するための形態】
【０００８】  本考案に係る風除けフード付きライン引きは、図１に示すようにパウダー吐出孔周りを囲うようににした風除けフードを設けることにより風の影響を抑えて、強風時にもラン引き作業を可能とするものである。
風除けフードの構造は、パウダーの吐出に支障のないよう、吐出孔のサイズよりゆとりを持った広さで且つ地表との隙間をできる限り少なくした構造にし設ける。
【符号の説明】
【０００９】１      ライン引き本体
２      車輪
３      パウダー吐出孔
４      風除けフード
５      スタンド
６      車軸用切れ込み
７      地表
【図１】
0003231332.tif 000003
【図２】
0003231332.tif 000004
(57)【要約】      （修正有）【課題】使用場所の制限をなくし、ファッション性があり、武道やスポーツの愛好家だけではなく、誰でも運動不足の解消に利用できる重量のある下駄を提供する。【解決手段】木製の下駄台Ｂを２層にし、内部に空洞Ｂ１を設け、そこに鉄などの金属平板を敷き詰め、表面がすべて木材で覆われた重量のある下駄にした。さらに重量を増すため、歯部分Ｃ１、Ｃ２に金属物資を内包させてもよい。【選択図】図１
0003231349.tif 000002
【実用新案登録請求の範囲】
【請求項１】
木製の下駄台の内部に金属製平板を有する下駄
【請求項２】
木製の下駄歯の内部に木よりも比重のある物質を有する下駄
【考案の詳細な説明】
【技術分野】
【０００１】  本考案は、頑丈な木質の素材（構造用合板）の下駄台の天板、歯の内部に金属を内包した、あえて重くした下駄である。
【背景技術】
【０００２】  従来の鉄下駄は金属の塊であるため、接地面を傷つけることもあり、使用場所が限定される。どこでも使えるものにしたかった。
外見をより今日的なものにしたかった。
【先行技術文献】
【特許文献】
【０００３】
【特許文献１】実全昭５２−１２２１５３
【特許文献２】実全昭４９−１４４４５３
【考案の概要】
【考案が解決しようとする課題】
【０００４】  従来の鉄下駄は硬い素材で出来ていて床面を傷つけてしまう、鉄下駄の欠点である使用場所の制限をなくしました。
本来は武道の鍛錬用としてのはきものでしたが、昨今のリモートワークの増加による運動不足解消のために、万人の方にも愛されるよう外見もソフトな感じにしました。
本考案は構造用合板でできているため、安価で生産、提供できる。
近年、下駄は健康に良い履物として、または日本の伝統的な履物として注目されています。当然、鉄製の下駄よりは軽量になりますが、重すぎないことも、メリットであると思います。
【課題を解決するための手段】
【０００５】  本考案は構造用合板で出来た２層からなる下駄台の内部に空間を設け、そこを金属平板で埋める構造です。表面はすべて木材で覆われています。
使用場所の制限をなくしました。
【考案の効果】
【０００６】  鉄製下駄に比べてファッション性もあり、より今日的です。
外見が木製の下駄でありながら、重く作ってある物は、今までありそうでなかった物なので、武道とかスポーツ愛好家に限らず需要があるものと考え考えます。
【図面の簡単な説明】
【０００７】
【図１】本考案の金属平板を収納する天板の分解構造図である。
【考案を実施するための形態】
【０００８】  台Ｂの窪みＢ１に金属平板を敷き詰め接着剤で固定します。
そして、台Ｂと上蓋Ａを接着し密閉します。縦長サイズ変化と総重量の兼ね合いで、歯の部分Ｃ１，Ｃ２にも金属および比重の重い物質を収納します。
【実施例】
【０００９】  履いてもらうだけです。
【符号の説明】
【００１０】  Ａ    下駄台天板  上蓋
Ｂ    下駄台
Ｂ１  金属平板格納スペース
Ｃ１  下駄歯（前）
Ｃ２  下駄歯（後）
【図１】
0003231349.tif 000003
(57)【要約】      （修正有）【課題】フェイスシールドに持ち手を設け、飛沫の拡散を防止するうちわ型フェイスシールドを提供する。【解決手段】フェイスシールド本体に持ち手を設け、手に持ち飛沫が拡散されると予想される場面に顔を覆うことで拡散を防ぐ。【選択図】図１
0003231346.tif 000002
【実用新案登録請求の範囲】
【請求項１】
１枚の透明のシートで飛沫防止のためのフェイスシールド部と持ち手部を設け、使用時は持ち手を持ち顔面を覆い、未使用時時は持ち手を平らにし折り畳んで携帯できるうちわ型フェイスシールド
【考案の詳細な説明】
【技術分野】
【０００１】  本考案は飛沫拡散を防止するためのうちわ型のフェイスシールドに関するものである。
【背景技術】
【０００２】  新型コロナウィルス等の感染拡大対策として大半の人はマスク等を付けているが、飲食店での会食や家庭内での談話の際は個々での感染対策がなされていない。
【考案の概要】
【考案が解決しようとする課題】
【０００３】  飲食店や家庭内で個人個人を区切るアクリル板の設置は困難であり、またマスクを装着したまま会話し、飲食の際はマスクを外すと言う、いわゆるマスク会食も実行している人も少ない。そこでうちわ型フェイスシールドを片手に持ち、会話の際は顔面（鼻・口元）を覆う簡単な動作で飛沫の拡散を防止する事により解決しようとするもの。
【課題を解決するための手段】
【０００４】  本考案はフェイスシールド本体に持ち手を設け、他のマスクやシールド類の着脱のわずらわしさを解決。飛沫の拡散を妨げるよう顔面を覆うことができる大きさにし、透明のポリプロピレン等のシートを使用することにより対話相手の表情が見える。また使用後は内面に付着した飛沫をアルコール消毒することで繰り返し使用することが可能。持ち手を組み立て式にすることで未使用時は折り畳み携帯でき、個々の感染対策ができる。
【考案の効果】
【０００５】  現在、感染拡大が起こっているのは飲食店や家庭内、または休憩室などが注目されている。どの場面もマスクを外したまま飛沫を拡散していると想像できる。感染者が増加すると、飲食店の時短や自粛などを行っているが、個々がフェイスシールドを使用し飛沫感染対策を徹底することにより感染を抑え安心して会食や談笑できる。
【図面の簡単な説明】
【０００６】
【図１】本考案の実施例を示す正面図である
【図２】本考案の平面図である。
【考案を実施するための形態】
【０００７】  持ち手部に設置しているファスナーテープを張り付け、筒状にし持ち手とする。使用後は持ち手を平面にし、フェイスシールドを半分（飛沫付着部を内側）に折り畳む。
【符号の説明】
【０００８】１  フェイスシールド本体
２  ファスナーテープ
【図１】
0003231346.tif 000003
【図２】
0003231346.tif 000004
(57)【要約】【課題】装着者の視線と一致する撮像を行うことのできる頭部装着型カメラを提供する。【解決手段】頭部装着型カメラ１は、装着者の頭部に装着されるフレーム部１０と、フレーム部１０に取り付けられた、装着者の視線上に配されるプリズム１１，１２と、フレーム部１０に取り付けられたカメラ部２０と、を備え、カメラ部２０は、プリズム１１に向けられることで装着者の右眼の視線上にある被写体の画像を撮像可能とされており、これにより視線とカメラ部２０のカメラ軸とが一致してなる。【選択図】図１
0003231356.tif 000002
【実用新案登録請求の範囲】
【請求項１】
装着者の頭部に装着されるフレーム部と、
前記フレーム部に取り付けられた、前記装着者が所定方向を向いたときの視線上に配される屈折部材と、
前記フレーム部に取り付けられた、所定のカメラ軸を有するカメラ部と、
を備え、
前記カメラ部は、前記屈折部材に向けられることで前記装着者の前記視線上にある被写体の画像を撮像可能とされており、前記視線と前記カメラ部のカメラ軸とが一致してなる
ことを特徴とする頭部装着型カメラ。
【請求項２】
前記カメラ部は、前記装着者の左右いずれか一方である片眼の視線上にある被写体の画像を撮像するものであり、
前記屈折部材が、前記装着者の両眼の視線上に各々配されてなる
請求項１に記載の頭部装着型カメラ。
【請求項３】
前記フレーム部は、眼鏡フレームからなり、
前記屈折部材は、プリズムからなる
請求項１又は請求項２に記載の頭部装着型カメラ。
【考案の詳細な説明】
【技術分野】
【０００１】
本考案は、装着者の視線とカメラ軸とが一致して撮像することができる頭部装着型カメラに関する。
【背景技術】
【０００２】
従来、例えば特許文献１に開示されているようなカメラ付き眼鏡が知られている。これにより、装着者が視認している対象物をカメラに撮像して記録したり、第三者が視認したりすることができる。
【先行技術文献】
【特許文献】
【０００３】
【特許文献１】特開２０１６−１２６４１４号公報（図９参照）
【考案の概要】
【考案が解決しようとする課題】
【０００４】
しかしながら、特許文献１のカメラ付き眼鏡にあっては、装着者の視線の軸とカメラの軸とが完全に一致しておらず、例えば手元で操作しているキーボードの撮像をする際には、微妙に撮像がずれてしまい装着者の意図する像とは異なるものが出力されてしまう問題があった。
【０００５】
すなわち、図３に示すような、眼鏡Ｘのフレーム部の側部に前方へ向けてカメラＹが配置されている従来のカメラ付き眼鏡にあっては、図４に示すように、装着者の視線中心領域とカメラＹの撮像中心領域とがずれてしまう。このずれは、装着者の視線が近いほど大きくなってしまう問題がある。
【０００６】
本考案は、できる限り装着者の視線と一致する撮像を行うことのできる頭部装着型カメラを提供することを目的とする。
【課題を解決するための手段】
【０００７】
本考案は、装着者の頭部に装着されるフレーム部と、前記フレーム部に取り付けられた、前記装着者が所定方向を向いたときの視線上に配される屈折部材と、前記フレーム部に取り付けられた、所定のカメラ軸を有するカメラ部と、を備え、前記カメラ部は、前記屈折部材に向けられることで前記装着者の前記視線上にある被写体の画像を撮像可能とされており、前記視線と前記カメラ部のカメラ軸とが一致してなることを特徴とする頭部装着型カメラである。
【０００８】
かかる構成にあっては、前記屈折部材を介して装着者が見ているものをカメラ部が直接撮像することができる。特に、装着者の視線と一致する撮像が可能であるため、手元の繊細な作業も視線の先を一致させて撮像することができる。
【０００９】
また、前記カメラ部は、前記装着者の左右いずれか一方である片眼の視線上にある被写体の画像を撮像するものであり、前記屈折部材が、前記装着者の両眼の視線上に各々配されてなる構成が提案される。
【００１０】
かかる構成とすることにより、両眼の視線の先に前記屈折部材を配置することとなり、片眼のみに配置した場合と比べて装着者の視線の違和感を緩和することができる。
【００１１】
なお、前記フレーム部は、眼鏡フレームからなり、前記屈折部材は、プリズムからなる構成が提案される。
【考案の効果】
【００１２】
本考案にかかる頭部装着型カメラは、装着者の視線と一致する撮像を行うことができるという効果がある。
【図面の簡単な説明】
【００１３】
【図１】実施例にかかる頭部装着型カメラを装着した状態を示す説明図である。
【図２】実施例にかかる装着者の視線とカメラ部のカメラ軸との一致を示す説明図である。
【図３】従来の頭部装着型カメラを装着した状態を示す説明図である。
【図４】従来の頭部装着型カメラにおける装着者の視線中心領域とカメラの撮像中心領域とのずれを説明する説明図である。
【考案を実施するための形態】
【００１４】
以下に本考案を具体化した実施例を詳細に説明する。なお、本考案は、下記に示す実施例に限定されることはなく、適宜、設計変更が可能である。
図１に示すように、頭部装着型カメラ１は、装着者の頭部に装着される眼鏡フレームからなるフレーム部１０を備えている。フレーム部１０において、装着者の両眼の視線の延長線上には、屈折部材としてのプリズム１１、１２が各々配置されている。さらに、右眼側のプリズム１１側には、撮像を行うことのできるカメラ部２０が配置されている。
【００１５】
図２に示すように、カメラ部２０は、プリズム１１側に向けられている。また、カメラ部２０は、プリズム１１によって屈折された、装着者の右眼の視線の延長線上にあるもの（被写体）の画像を撮像可能とされている。すなわち、カメラ部２０のカメラ軸と装着者の右眼の視線とが一致している。
【００１６】
なお、プリズム１１において、使用者が覗く面、当該覗く面とは反対側の面、及び、カメラ部２０に臨む面（カメラ入面）には、反射防止コーティングが施されている。また、その他の３面については、プリズム１１内に光が入り込まないように黒色としている。また、プリズム１２はプリズム１１とは左右対称に配置されている。
【００１７】
上述のように構成された頭部装着型カメラ１のカメラ部２０の撮像中心領域は、プリズム１１によって屈折した装着者の右眼の視線の中心領域と重なり、装着者が見ているものをずれることなく撮像することができる。
【００１８】
また、左眼側にもプリズム１２が配置されているため、装着者の左右両眼の視線の延長線上にプリズムが配されることとなり、左右の眼に映るものの違和感を緩和することができる。
【００１９】
上記実施例において各部の寸法形状は適宜自由に選択可能である。
【符号の説明】
【００２０】
１            頭部装着型カメラ
１０          フレーム部
１１，１２    プリズム（屈折部材）
２０          カメラ部
【図１】
0003231356.tif 000003
【図２】
0003231356.tif 000004
【図３】
0003231356.tif 000005
【図４】
0003231356.tif 000006
(57)【要約】      （修正有）【課題】即席スープのお湯の計量や御飯の計量、その他お椀に入れる物の計量が必要な場合に、時と場所を選ばず、だれでも正確、且つ簡単に計量出来、そのお椀のまま飲食を行うことができるお碗を提供する。【解決手段】お椀１に入れる物の量の計量ができる目盛り４をお椀の内側に印す。また視覚障害者でも計量できるよう凸形の目盛り２と点字３をお椀の外側に設ける。【選択図】図３
0003231351.tif 000002
【実用新案登録請求の範囲】
【請求項１】
液体、または固体の計量に対応した目盛りが、内側に少なくとも一か所設けられていることを特徴とするお碗。
【請求項２】
液体、または固体の計量に対応した点字の数字と凸形目盛りが、お椀の外側に少なくとも一か所設けられていることを特徴とするお碗。
【考案の詳細な説明】
【技術分野】
【０００１】  本考案は、みそ汁や各種様々な味の即席スープや粉末飲料のお湯の計量やダイエット中の御飯の計量、内服薬を規定量に溶かす時の水またはお湯の計量等を時と場所を選ばず、正確、且つ簡単に行うことができるお碗に関するものである。
【背景技術】
【０００２】  お椀は古くから食器として、御飯、汁物などを入れて食するのに用いられてきた。【０００３】  お椀に入れる物の量は目分量である。
【考案の概要】
【考案が解決しようとする課題】
【０００４】  現在は、フリーズドライや粉末タイプの即席スープの開発が進み、手軽においしく即席スープが味わえる。また核家族化が進み、一人暮らしも多く、即席スープを飲む機会が増えている。【０００５】  しかし即席スープをお碗に入れてお湯を注ぐ際、そのスープのメーカーが指定する量のお湯を注ぐことが好ましいが、現実はその都度メーカー指定の分量よりも多く又は少なくなってしまい、スープの味に濃い薄いなどのばらつきが出ている。メーカーが考える最もおいしいとされるスープの味を時と場所を選ばす、いつでもだれでも同じ濃さのスープを作ることが必要である。【０００６】  普段、同じお碗を使い目分量で即席スープを作っている人が同一であっても、その都度入れるお湯の量は一定とは言い難く、さらに普段作らない人や、子供であればなおさら、即席スープメーカーの指定のお湯の量を目分量でお碗に注ぐことは難しい。【０００７】  健常者でも即席スープを作る際にその湯量にばらつきが出るが、視覚障害者であればなおさらであり、メーカー指定のお湯の計量は難しい。【０００８】  またダイエット中にはご飯の量を調整したいものだが、お椀によそう御飯の量も所望の一定の量を盛り付けることが難しい。【０００９】  さらに内服薬を水やお湯に溶かして服用する際も、既定の量で溶かすことが難しい。【００１０】  本考案は、上述の課題を解決するものであり、即席スープのお湯の計量や御飯の計量、その他お椀に入れる物の計量が必要な場合に、時と場所を選ばず、だれでも正確、且つ簡単に計量出来、そのお椀のまま飲食を行うことができるお碗を提供することを目的とする。
【課題を解決するための手段】
【００１１】  本考案に係るお碗は、注がれる液体の量またはよそう御飯の量に対応した目盛りがお碗内側に少なくとも１か所設けられており、また外側には凸形に点字と目盛りが少なくとも１か所設けられていることを特徴とする。本考案に言うお椀とは食物を入れる容器を言い、例えばプラスチック製や陶磁器などその素材を問わない。
【考案の効果】
【００１２】  本考案に係るお碗では、注がれる液体の量または入れる固体の量に対応した目盛りが、お碗内側と外側に設けられている。このため、お椀に入れる量がこの目盛りと合致しているか否かを確認すれば、所望の量に対応しているか否かを判断できる。【００１３】  従って、お椀に入れる量を計量カップや量りを用いることなく、大人も子供も正確かつ容易にはかることができる。【００１４】  また外側に設けられた点字と目盛りが凸形なので、例えば視覚障害者が、即席スープを作りたい時は、お椀の内側を触ることなく、衛生的に正確な量のお湯をお碗に入れることができる。お湯を入れる際は希望の湯量の目盛りを指で探し、その目盛りに合わせて液体が触れると音が鳴る仕組みのクリップなどを装着すれば、やけどなどもしにくく、安全にお碗にお湯を注ぐことが可能である。【００１５】  またダイエットをしている人には、この目盛りが御飯を盛る際の目安にもなる。【００１６】  さらに内服薬等を水またはお湯で溶かす際に、規定量の水またはお湯で溶かすことが出来る。【００１７】  お椀に入れる物の量を簡単にはかることができ、その上、そのお椀で飲食ができる。
【図面の簡単な説明】
【００１８】
【図１】この考案の形態を示すお椀の側面図である。
【図２】この考案の形態を示すお椀の平面図である。
【図３】この考案の形態を示す液体の目盛り付きお椀の斜視図である。
【図４】この考案の形態を示す御飯用目盛り付きお椀の斜視図である。
【図５】図２のＡ−Ａ矢視断面図である。
【図６】視覚障害者が液体を注ぐ際の一実施例の図である。
【考案を実施するための形態】
【００１９】  図においてお椀１は御飯や汁物が盛られる容器である。図１は本考案に係るお椀の１例を示すものである。お椀は一般的には円形であるが、様々な形、また大小は問わない。
【実施例】
【００２０】  以下、添付図面に従って実施例を説明する。図１、図２、図３の１はお椀を示す。お椀の内側に液体用の目盛り４が設けられており、お椀に液体を所望の目盛りと合致するところまで入れる。【００２１】  図６に示すように、視覚障害者が液体を注ぐ際は、お椀の外側に設けられた凸形の目盛り２と点字３で所望の量の目盛りを探し、その目盛りにあわせて、液体に触れると音が鳴るなどのクリップをはさみ使用すれば、所望の量の液体が注げる。
【符号の説明】
【００２２】  １お椀本体
２外側凸形目盛り
３点字
４内側目盛り
５実施例を示すための液体に反応するクリップ
【図１】
0003231351.tif 000003
【図２】
0003231351.tif 000004
【図３】
0003231351.tif 000005
【図４】
0003231351.tif 000006
【図５】
0003231351.tif 000007
【図６】
0003231351.tif 000008
(57)【要約】      （修正有）【課題】使用中にずれて、さらには足から抜けてしまうことを防止できる靴下を提供する。【解決手段】靴下１の内側に、下が足の踵の成長軟骨の上部付近に位置して足の踵に引っ掛かかる位置に、かつ、靴下の踵２から左右の側面７に向けて足のくるぶしの下を通ってほぼ水平方向に、Ｕ字形に帯状の布製の踵止帯６を設ける。踵止帯が足の踵に引っ掛かって、踵止帯がない場合に靴下のつま先方向への張力による踵の上部から下部へ向かって発生する張力を、つま先方向へのほぼ水平方向に変えることにより、靴下が抜けるのを防止する。【選択図】図１
0003231354.tif 000002
【実用新案登録請求の範囲】
【請求項１】
靴下であって、該靴下の内側に、下が足の踵の成長軟骨の上部付近に位置して足の踵に引っ掛かかる位置に、かつ、靴下の踵から左右の側面に向けて足のくるぶしの下を通ってほぼ水平方向に、Ｕ字形に帯状の布製の踵止帯を設けて、該踵止帯が足の踵に引っ掛かって、該踵止帯がない場合に靴下のつま先方向への張力による踵の上部から下部へ向かって発生する張力を、つま先方向へのほぼ水平方向に変えて、従来の靴下にある前記張力によって抜けるのを防止した靴下である。
【考案の詳細な説明】
【技術分野】
【０００１】  本考案は、各種の靴下に関するものである。
【背景技術】
【０００２】  高齢化に伴い、特に足の冷え防止のために靴下を履いたまま就寝する者が多い。その際、就寝時には足の圧迫感をなくすために全体がゆるめの靴下を選ぶことが多い。しかし、その場合、就寝中に足を動かすことで生じる靴下と寝具との摩擦力によって靴下がずれて、やがて足から抜けてしまう問題がある。また、赤ちゃん用靴下でも、激しい足の動きによる同様の問題がある。【０００３】  また、パンプス靴下（カバーソックス）のようなものでは踵部などにすべり止めを施したものがある。しかし、そのすべり止めは、靴下の口ゴムが緩いと足の皮膚との接触度合いが薄れて、すべり止めそのものの重みも加わって、すべり止めがない場合よりもより靴下をずり落とすなどで十分なすべり止めの効果が得られないために、口ゴムを強くする必要がある。このため、その口ゴムが足に食い込むなどで違和感を感じることが多い。さらに、すべり止めに、シリコン系樹脂材が使われることが多く、そのために、そのすべり止めが足の皮膚に炎症を起こさせることがある。【０００４】  そこで、それらの問題を解決するために、靴下の踵の部分を切り取って穴を開けて、該穴から足の踵が外に出て、その穴の切り口が足の踵にフィットして止まるように施して、このように施されて踵の部分に穴が開けられた靴下が足の踵に止まるようにして、靴下がずれて足から抜けないようにした靴下が考案されている（下記特許文献１参照）。しかし、前記穴を靴下に直接設けているので特に外観上違和感を生じるなどの問題がある。
【先行技術文献】
【特許文献】
【０００５】
【特許文献１】実用新案登録第３２２３６２９号
【考案の概要】
【考案が解決しようとする課題】
【０００６】  従来の靴下は、その使用状態によっては使用中にずれて、やがて足から抜けてしまうなどの課題があった。また、口ゴムが足首に食い込み、また靴下に穴を設けるために外観上違和感を生じるなどの問題がある。
【課題を解決するための手段】
【０００７】  上記課題を解決するために、本考案は、靴下１の内側に、下が足の踵の成長軟骨の上部付近に位置して足の踵に引っ掛かかる位置に、かつ、靴下の踵２から左右の側面７に向けて足のくるぶしの下を通ってほぼ水平方向に、Ｕ字形に帯状の布製の踵止帯６を設けて、踵止帯６が足の踵に引っ掛かって、踵止帯６がない場合に靴下のつま先４方向への張力による踵２の上部から下部へ向かって発生する張力を、つま先４方向へのほぼ水平方向に変えて、従来の靴下にある前記張力によって抜けるのを防止した靴下である。【０００８】  なお、踵止帯６は、布製でよく、その先端が靴下１の踵２から左右の側面７の中央部より長めであって、靴下１と同様の伸縮性があり、同様の厚みがあるのが望ましく、また、踵止帯６の幅は、踵２に引っ掛かりそのフィット感が得られればよく、さらに左右の側面７まで同じであっても、あるいは、先端部に向けて細くしても良く、それらを限定しない。また、図１は、パンプス靴下（カバーソックス）についてのもので踵止帯６をその上端が口ゴム５の下に沿って配している。また、踵止帯６を靴下の踵から左右の側面に向けて配したその他の靴下であってもよい。
【考案の効果】
【０００９】  本考案は、靴下１の内側に、下が足の踵の成長軟骨の上部付近に位置して足の踵に引っ掛かかる位置に、かつ、踵２から左右の側面７に向けて足のくるぶしの下を通ってほぼ水平方向に、Ｕ字形に帯状の布製の踵止帯６を設けて、踵止帯６が足の踵に引っ掛かって、踵止帯６がない場合に靴下のつま先４方向への張力による踵２の上部から下部へ向かって発生する張力を、つま先４方向へのほぼ水平方向に変えて、従来の靴下にある前記張力によって抜けるのを防止しているために、全体が緩めで特に足首が緩めの靴下であっても自然にずり落ちないものであれば、踵止帯６が足の踵の成長軟骨の上部付近に引っ掛って、踵止帯６がない場合に靴下のつま先４方向への張力による踵２の上部から下部へ向かって発生する張力を、つま先４方向へのほぼ水平方向に変えて、従来の靴下にある前記張力によって足の踵からずれて抜けるのを防止する。【００１０】  特にパンプス靴下（カバーソックス）は、口ゴムが相当緩いものであっても抜けないので、繰り返し選択することで口ゴムが緩んでもその効果が持続される。また、一般の足からずり落ちて抜けないように口ゴムを強くしたものにある違和感がなく、当然、口ゴムが足首に食い込むこともない。そのうえ、ほぼ靴下と同じ厚さの踵止帯６で成長軟骨付近を覆って、その付近の皮膚の靴連れを防止する。また、踵止帯６の肌に密着する部分が布製でよいので、樹脂製のすべり止めを施したものにある肌荒れの心配もない。【００１１】  また、靴下その物に切り込みを或いは穴を設けていないので、使用上においても外観上においても違和感が生じない。
【図面の簡単な説明】
【００１２】
【図１】  本件考案の靴下の一実施例のパンプス靴下の外観図である。
【符号の説明】１  靴下
２  靴下の踵
３  靴下の底
４  靴下のつま先
５  靴下の口ゴム
６  踵止帯
【図１】
0003231354.tif 000003
(57)【要約】      （修正有）【課題】規則性のある色や線の組合せで長さを表現し、両端に伸縮性のある輪を設けた釣獲魚簡易計測及び記録用メジャーを提供する。【解決手段】柔軟性のある素材のメジャー本体１表面に、数種類の色を用いた範囲３及び線を一定間隔で素材の長手方向に規則的に組み合わせて表示するとともに、メジャー本体の両端に伸縮性のある素材を用いた輪２を設けることで、当該輪を基準として近接させた対象物の大凡の長さについての短時間での確認や、水平面に静止させない状態での対象物の撮影時に大凡の長さの記録が容易になる。【選択図】図１
0003231398.tif 000002
【実用新案登録請求の範囲】
【請求項１】
柔軟性のある素材に数種類の色を用いた範囲及び線を規則的に組み合わせて表示するとともに、当該素材の両端に伸縮性のある素材を用いた輪を設けることで、当該輪を基準として近接させた対象物の大凡の長さについての短時間での確認や、水平面に静止させない状態での対象物の撮影時に大凡の長さの記録が容易であるところを特徴とする釣獲魚簡易計測及び記録用メジャー
【考案の詳細な説明】
【技術分野】
【０００１】  本考案は、規則性のある色や線の組合せで長さを表現し、両端に伸縮性のある輪を設けた、メジャーに関するものである。
【背景技術】
【０００２】  釣りで釣獲した魚の長さを計測並びに撮影する場合、水中以外の概ね水平な場所に広げて設置したメジャーの上に魚体を重ねて計測並びに撮影を行っていた。
【考案の概要】
【考案が解決しようとする課題】
【０００３】  釣り上げた場所によっては水中以外の概ね水平な場所が無い場合があり、また季節によっては釣獲した魚の魚体を当該概ね水平な場所並びにメジャーに接触させること自体が魚体を傷つけるおそれがある。一方で、魚種によっては釣獲時に魚体の一部を保持することで釣獲し、そのままの流れで魚体を空中で保持したまま撮影を行う場合も多い。従って、釣獲魚の保護の観点からも、魚体の一部を保持したまま短時間で魚体の大凡の計測や、計測結果を概ね正しく撮影出来ることが望ましいことから前述の欠点を解決しようとするものである。
【課題を解決するための手段】
【０００４】  本考案は、数種類の異なる色で分けられた面積と線とを規則的に組み合わせることで、メジャーに近接する対象物の大凡の計測結果を短時間で確認することを可能とし、且つ、メジャー両端設置した伸縮性のある輪に手首や器具等を通してメジャーを保持しできる様にすることで、従来の魚体の保持方法でもメジャーを近接させることが出来ることにより問題を解決している。
【考案の効果】
【０００５】  上述の様に、本考案の釣獲魚簡易計測及び記録用メジャーは、メジャーの長さを表現する方法として数種類の異なる色で分けられた面積と線とを規則的に組み合わせることで、メジャーに近接する対象物の大凡の計測結果を短時間で確認することを可能とし、且つ、メジャー両端設置した伸縮性のある輪に手首や器具等を通してメジャーを保持できる様にすることで、メジャーを保持したまま釣獲した魚の魚体も保持できることで、メジャーが魚体と近接し、魚体を空中等で保持したままの大凡の計測や当該計測結果の撮影が可能となることにより魚体保護を行いながらの計測や記録に役立つ。
【図面の簡単な説明】
【０００６】
【図１】本考案の釣獲魚簡易計測及び記録用メジャーの実施例を示す正面図である。
【考案を実施するための形態】
【０００７】  メジャー本体は万一魚体に触れた場合であっても魚体の損傷を押さえることを目的とした柔軟性のある素材であり、その両端では伸縮性のある素材を用いた輪を保持する。又、メジャー表面は一定間隔で異なる色により塗り分けられ、且つ、当該間隔の半分の間隔で線引きされているが、当該線のうち目安となり得る線は他の線と異なる色や太さで表示されている。
【実施例】
【０００８】  以下、添付図面に従って一事例を説明する。１はメッシュターポリン等適宜素材にて成形されたメジャー本体、２はポリエステル等適宜素材で成形された輪で、この輪に手首やフィッシュグリップ等釣獲した魚を保持するものを通した上で、釣獲した魚の魚体を保持する。３及び４は短時間で大凡の計測と記録が行えるよう色分けされた範囲や線である。
【符号の説明】
【０００９】１  メジャー本体
２  輪
３  一定間隔ごとに異なる色を用いた範囲
４  ３の半分の間隔ごとの線
【図１】
0003231398.tif 000003
【手続補正書】
【提出日】令和2年12月25日(2020.12.25)
【手続補正１】
【補正対象書類名】実用新案登録請求の範囲
【補正対象項目名】請求項１
【補正方法】変更
【補正の内容】
【請求項１】
柔軟性のある素材の表面に、数種類の色を用いた範囲及び線を一定間隔で素材の長手方向に規則的に組み合わせて表示するとともに、当該素材の両端に伸縮性のある素材を用いた輪を設けることで、当該輪を基準として近接させた対象物の大凡の長さについての短時間での確認や、水平面に静止させない状態での対象物の撮影時に大凡の長さの記録が容易であるところを特徴とする釣獲魚簡易計測及び記録用メジャー
(57)【要約】      （修正有）【課題】毎日の食事、運動、脳が喜ぶこと等々を書き留め、簡単で見やすく書きやすさを重視したダイアリーのフォーマットを提供する。【解決手段】一週間を左右の頁で見開きとし左頁から右頁へ進み、月曜日から水曜日まで左頁、木曜日から日曜日まで右頁、見開き左頁月曜日の左側に上部元号と月、見開き左頁月曜日の左側下部の縦に一列横行を設け、一週間の特徴ある事柄を書き留める。一週間単位で見開き頁が変わることを特徴とする。【選択図】図１
0003231395.tif 000002
【実用新案登録請求の範囲】
【請求項１】
将来、２０年、３０年後元気で自分のことは自分で出来る生活を送ることができるか否か、それは今現在の生活スタイルが関係してくると思う。そこで今やれることは自分の生活を知ることです。今どんなものを食べてどんなものに興味があってどれくらい体を動かしているのか日記に書いてみると段々分かって行くのではないでしょうか？そこで簡単で分かり易い日記付けを手伝える日記のフォーマットを考案しました。
【請求項２】
一週間を見開き１で、月曜日から水曜日まで左ページ、木曜日から日曜日まで右のページになるように製本する。［図１］
【請求項３】
，
書き方は一日を日付２、体重３、朝４、昼５、夜６、歩７は歩数又は歩きに要した時間、ストレッチ８、ｈａｐｐｙ１０、思ったこと１１の一日を縦に記入する。
【請求項４】
日付の下に体重を持ってきたのは朝一番に測ると習慣なって日々の増減値が分かり易い為。朝、昼、夜は活動の時間で食べたり仕事したり遊んだり個人によって違うけど何をして、何を食べたかまた仕事にどれだけ時間を使ったかを書き留めるのは面白いと思う。歩、ストレッチは運動をやったかやらなかったかは後で記録を見るだけで体に対して労わっている感を味わえる。歩、ストレッチの行で、斜線９にしたのは見やすいのと気持ちを少し変える為のアクセントとして。
【請求項５】
Ｈａｐｐｙ１０、物事をポジティブに考える思考回路にするため小さなｈａｐｐｙでも書き留める。
【請求項６】
最下段の横行に今日思った事を書き留める１１。
【請求項７】
月曜日の左側元号と月１２、令和２年  ８月／９月（月が２月にまたいだ週）
【請求項８】
月曜日の左側の横行１３は一週間の特徴ある事柄を後からすぐに見つけ出せるよう設定した。
【考案の詳細な説明】
【技術分野】
【０００１】  自分の一日の生活を書き留めて自分を知ることを目的にした日記のフォーマット。
【図面の簡単な説明】
【０００２】
【図１】ダイアリーフォーマット見開きで綴じる正面図、符号有。
【図２】ダイアリーフォーマット見開きの左側図、符号有。
【図３】ダイアリーフォーマット見開きの右側図、符号なし。
【図４】ダイアリーフォーマットで実際に使って書いたイメージ図。
【符号の説明】
【０００３】  符号１    見開き正面図
符号２    日付、年月日
符号３    体重
符号４    時間軸で朝
符号５    時間軸で昼
符号６    時間軸で夜
符号７    体を動かす項目で歩、歩数又は歩いた時間
符号８    体を動かす項目でストレッチ、やれたかやれなかったかを記入
符号９    斜線、体を動かす項目で気持ちを変えるアクセントになる
符号１０  ｈａｐｐｙ  一日の最低１個のｈａｐｐｙを書く
符号１１  一日あった書き留めたい事柄の行
符号１２  元号と月
符号１３  一週間の特徴ある事柄を書く行
【図１】
0003231395.tif 000003
【図２】
0003231395.tif 000004
【図３】
0003231395.tif 000005
【図４】
0003231395.tif 000006
【手続補正書】
【提出日】令和2年12月24日(2020.12.24)
【手続補正１】
【補正対象書類名】実用新案登録請求の範囲
【補正対象項目名】全文
【補正方法】変更
【補正の内容】
【実用新案登録請求の範囲】
【請求項１】
一週間を左右の頁で見開き（１）とし左頁から右頁へ進み、月曜日から水曜日まで左頁、木曜日から日曜日まで右頁、見開き左頁月曜日の左側上部元号と月（１２）、見開き左頁月曜日の左側（１２）下部の縦に一列横行（１３）は一週間の特徴ある事柄を書き留める為、一週間単位で見開き頁が変わることを特徴とするダイアリーのフォーマット。
【請求項２】
１日の書き方として１日を縦に月日（２）、体重（３）、時間軸を朝（４）、昼（５）、夜（６）と区切り、歩（７）は歩数又は歩きに要した時間、ストレッチ（８）、ｈａｐｐｙ（１０）、思ったこと（１１）を横書きで記入、体重、歩、ストレッチは健康に考慮し斜線（９）は書きやすさと見やすさを重視、時間軸を朝、昼、夜、と区切ったのには食事をどのようにとっているのかを現わす為、ｈａｐｐｙは物事をポジティブに考えられる思考回路を作る為、体の健康と心の健康を分かりやすく表現できることを特徴とするダイアリーのフォーマット。
【手続補正３】
【補正対象書類名】明細書
【補正対象項目名】０００１
【補正方法】変更
【補正の内容】
【０００１】  将来、２０年後３０年後元気で自分のことは自分で出来る生活を送ることができるか否か、それは現在の生活スタイルが関係してくるのではないか、そして今やれることは何かと考えたとき、自分は今どんなものを食べてどんなものに興味がありどれくらい体を動かしているのかを書き留、考え、そして行動に移して行くことで健康で楽しい老後を迎えられるのではと想像し、そこで考案したのが自分を知ることができ記入しやすく続けられる事を特徴とするダイアリーのフォーマット。
(57)【要約】      （修正有）【課題】衣類を掛け外しする際に手にハンガーにかかりやすくハンガーの落下が防止され、ハンガーを外す（襟から引き抜く）際に衣類の生地がハンガーに絡まって持ち上げてしまうことがないハンガーを提供する。【解決手段】ハンガーの左右両端のうち片側は返しを付け、反対側は返しを付けない形状で、返しを付けることで、衣類を掛け外しする際に指に返しが掛りやすくハンガーの落下を防ぎ、返しを付けないことで衣類をハンガーから外す（襟から引き出す）際に衣類の生地がハンガーに絡まって持ち上げない。【選択図】図１
0003231982.tif 000002
【実用新案登録請求の範囲】
【請求項１】
物干し竿等に掛けるフック部分をハンガー本体から分離することのできる衣類用ハンガーであって、下側を繋がずに開いている形状とし幅を持たないことで、襟の狭い衣類やボタンのかかったワイシャツなどにも通しやすいハンガー。
【請求項２】
ハンガーの左右両端のうち片側は返しを付け、反対側は返しを付けない形状で、返しを付けることで、衣類を掛け外しする際に指に返しが掛りやすくハンガーの落下を防ぎ、返しを付けないことで衣類をハンガーから外す（襟から引き出す）際に衣類の生地がハンガーに絡まって持ち上げることのないハンガー。
【考案の詳細な説明】
【技術分野】
【０００１】  本考案は衣類をかけるハンガーに関するものである。
【背景技術】
【０００２】  現状の衣類等に使用するハンガーは、ハンガーを竿等に掛けるためのフックが一体形成されている
【先行技術文献】
【特許文献】
【０００３】
【特許文献１】特開２０１７／−１３６３２８
【特許文献２】実用新案登録第３２１７４４７号
【特許文献３】実開昭６０−８６８１号公報
【非特許文献】
【０００４】
【非特許文献１】インターネット  Ａｍａｚｏｎ  ハンガー  ブランド名  Ｈｉｒｏｕｍｅｒ  洗濯  物干しハンガー  衣類ハンガー  スカートハンガー  滑り止め  すべらない  乾湿両用  ３６０度回転式  変形にくい  高級感  洋服  クローゼット  収納  ｈａｎｇｅｒ  スーツ  タオルに対応  スリム  多機能ハンガー
【考案の概要】
【考案が解決しようとする課題】
【０００５】  一般的なフック一体型ハンガーは、衣類を通す際にフックが邪魔になり、襟を引っ張って衣類の形を崩してしまったり、衣類の下からハンガーを通したり、ボタンがかけてあるワイシャツなどは、ボタンを外してハンガーにかけ、再びボタンをかけるなど煩わしくストレスがかかる。ハンガーによっては比較的狭くて深い切れ込みを首元に設け、一度襟を切れ込みの内側に入れて通しやすくしたタイプのものもあるが、ボタンを掛けたワイシャッなど切れ込みの深さが足りずボタンを外さないと襟に通すことができない衣類がある。折り畳み式のものは部品が増えるため製造に費用がかかる。ハンガー本体からフック部分を分離（着脱式に）し簡単な仕様のハンガーであることで前述の欠点を解決しようとするものである。
【課題を解決するための手段】
【０００６】  本考案は、ハンガー本体からフックを分離（脱着式に）し、ハンガーの下側を繋がずに開いた状態にし、加えてハンガーの左右両端の一方は湾曲させ返しを付け、もう一方は返しを付けない形状とすることで問題を解決している。
【考案の効果】
【０００７】（イ）  ハンガー本体からフックを分離（脱着式に）し、ハンガーの下側が開いていることで幅をとらず、ボタンをかけたままのワイシャツ等や襟の狭い衣類にハンガーをスムーズに通すことができ、洗濯や衣類販売店での煩わしい作業のストレスが軽減される。
（ロ）  返しがあることで衣類を掛け外しする際に手にハンガーにかかりやすくハンガーの落下が防止され、返しがないことでハンガーを外す（襟から引き抜く）際に衣類の生地がハンガーに絡まって持ち上げてしまうことがない。
（ハ）  簡素なつくりのため製造コストが抑えられ、安価に提供できる
【図面の簡単な説明】
【０００８】
【図１】本考案のハンガーのＡタイプ並びにＢタイプの一体図である
【図２】本考案のハンガーＡタイプの構成図である
【図３】本考案のハンガーＢタイプの構成図である
【図４】本考案のハンガーの扱い方の図である
【考案を実施するための形態】
【０００９】  襟からハンガーを差し入れて衣類をかける。襟からハンガーを抜きだして衣類を外す。
【実施例】
【００１０】  以下、添付図面に沿って一実施例を説明する。図１はの２つのタイプのハンガーＡ，Ｂのそれぞれの一体図であり、素材はステンレス、アルミニュウム、プラスチック等適宣素材にて形成された本体である。Ａタイプはフックに付けたＡ５のハンガー受けにハンガーを掛けるものであり、Ｂタイプはハンガー本体にフックをはめ込む仕様になっている。フックの形状は異なるが、ハンガーに衣類（以下「シャツ」という）を掛ける動作はＡＢタイプとも同じである。Ａ２，Ｂ２はハンガー、Ａ３，Ｂ３はフックである。シャツをハンガーにかける場合は、左手で７のシャツの肩の部分を持ちぶら下げ、右手でハンガーを持ち６の返しのないほうを下にして襟の中へ差し入れ、ハンガーの全体をシャツの中に入れたらハンガーの左端を左手側に送り、左手でシャツの上からつかむ、右手はシャツの中でハンガーの中央を持ち、襟から右手を抜き出しながら持ち上げ、ハンガーをフックに掛ける。シャツをハンガーから外すときは、右手でシャツごとハンガーを持ち、フックからハンガーを外し、肩の部分にあるハンガーの左端を左手で衣類の上からつかみ右手を放す、襟から右手を差し入れて垂れ下がったハンガーをつかみ、左手は衣類をつかんだままハンガーだけを離す、ハンガーを持った右手を襟の中から抜き出す。上記は右利きの動作をイメージしているが左利きの場合は左右を置き換える。
【符号の説明】
【００１１】  Ａ１．Ａタイプのハンガー本体
Ａ２．Ａタイプのハンガー
Ａ３．Ａタイプのフック
Ａ４．ストッパー
Ａ５．ハンガー受け
Ｂ１．Ｂタイプのハンガー本体
Ｂ２．Ｂタイプのハンガー
Ｂ３．Ｂタイプのフック
６  ．返し
７  ．シャツ
【図１】
0003231982.tif 000003
【図２】
0003231982.tif 000004
【図３】
0003231982.tif 000005
【図４】
0003231982.tif 000006
【手続補正書】
【提出日】令和2年2月3日(2020.2.3)
【手続補正１】
【補正対象書類名】実用新案登録請求の範囲
【補正対象項目名】請求項２
【補正方法】変更
【補正の内容】
【請求項２】
ハンガーの左右両端のうち片側は返しを付け、反対側は返しを付けない形状で、返しを付けることで、衣類を掛け外しする際に指に返しが掛りやすくハンガーの落下を防ぎ、返しを付けないことで衣類をハンガーから外す（襟から引き出す）際に衣類の生地がハンガーに絡まって持ち上げないことを特徴とする請求項１に記載のハンガー。
【手続補正２】
【補正対象書類名】実用新案登録請求の範囲
【補正対象項目名】請求項１
【補正方法】変更
【補正の内容】
【請求項１】
物干し竿等に掛けるフック部分をハンガー本体から分離することのできる衣類用ハンガーであって、下側を繋がずに開いている形状とし幅を持たないハンガー。